(57)【特許請求の範囲】
【請求項１】
大腸内視鏡を腸管内へと挿入して検査を行う操作を補助する大腸内視鏡検査用補助具であって、
内部が空洞とされた可撓性を有する所定の素材からなる１本のチューブ材と、
前記チューブ材に挿通され、前記チューブ材における前記複数の孔が穿設された領域よりも下流側に固設された固形部材と、
を備え、
前記チューブ材には、患者の肛門から腸管内へと挿入される挿入口を形成する一方の端部から所定長にわたる領域に、当該患者の腸管内に滞留している流体を取り込む取込口として機能する複数の孔が前記空洞にかけて穿設され、
さらに、前記チューブ材には、前記複数の孔が形成された領域から当該チューブ材における他方の端部に向かって所定長だけ離隔された領域に、前記複数の孔から当該チューブ材内に取り込まれた流体を外部へと排出する排出口として機能する複数の孔が前記空洞にかけて穿設されており、
前記チューブ材に対する前記固形部材の挿通位置は、当該固形部材の中心から偏心した位置とされ、
前記固形部材は、その全体が前記患者の腸管内へと挿入され、肛門括約筋に引っかかることで、大腸内視鏡の前後方向の移動や回転により、上記チューブ材が腸管内から脱抜するのを防止すること
を特徴とする大腸内視鏡検査用補助具。
【請求項２】
前記固形部材には、当該患者の腸管内に滞留している流体を取り込み、取り込んだ前記流体を前記チューブ部材に流下させる様に取り込み口が穿設されていること
を特徴とする請求項１記載の大腸内視鏡検査用補助具。
【請求項３】
前記固形部材は、外表面が所定の曲面状に形成されていること
を特徴とする請求項１又は請求項２に記載の大腸内視鏡検査用補助具。
【請求項４】
前記固形部材は、球体又は球体に準ずる形状体であること
を特徴とする請求項３項記載の大腸内視鏡検査用補助具。
【請求項５】
前記固形部材の外表面には、所定のコーティングが施されていること
を特徴とする請求項１乃至請求項４のうちいずれか１項記載の大腸内視鏡検査用補助具。
【請求項６】
前記チューブ材の内部に挿設されたバネ材を備えること
を特徴とする請求項１乃至請求項５のうちいずれか１項記載の大腸内視鏡検査用補助具。
【請求項７】
前記チューブ材の外表面には、所定のコーティングが施されていること
を特徴とする請求項１乃至請求項６のうちいずれか１項記載の大腸内視鏡検査用補助具。
【請求項８】
前記チューブ材における前記一方の端部は、斜状に形成されていること
を特徴とする請求項１乃至請求項７のうちいずれか１項記載の大腸内視鏡検査用補助具。
【請求項９】
前記チューブ材における前記一方の端部は、所定の曲率を有する閉塞端であること
を特徴とする請求項１乃至請求項７のうちいずれか１項記載の大腸内視鏡検査用補助具。
【請求項１０】
大腸内視鏡を腸管内へと挿入して検査を行う操作を補助する大腸内視鏡検査用補助具であって、
内部が空洞とされた可撓性を有する所定の素材からなる１本のチューブ材と、
前記チューブ材の、患者の肛門から腸管内へと挿入される一方の端部に形成された固形部材とを備え、
前記固形部材には、当該患者の腸管内に滞留している流体を取り込む取込口として機能する孔が穿設され、
前記取込口として機能する孔は、前記固形部材の表面から前記チューブ材の一方の端部にかけて連通するように穿設されており、
前記固形部材の表面における前記孔の開口面積は、前記チューブ材の一方の端部に連通する側の開口面積よりも大きいこと
を特徴とする大腸内視鏡検査用補助具。
【請求項１１】
前記固形部材は、外表面が所定の曲面状に形成されていること
を特徴とする請求項１０記載の大腸内視鏡検査用補助具。
【請求項１２】
前記チューブ材の内部に挿設されたバネ材を備えること
を特徴とする請求項１０又は請求項１１に記載の大腸内視鏡検査用補助具。
【請求項１３】
前記固形部材には、前記孔が複数穿設されていること
を特徴とする請求項１１又は請求項１２に記載の大腸内視鏡検査用補助具。
【発明の詳細な説明】
【技術分野】
【０００１】
本発明は、大腸内視鏡を腸管内へと挿入して検査を行う操作を補助する大腸内視鏡検査用補助具に関する。
【背景技術】
【０００２】
従来から、消化管癌等の検査を目的として大腸内視鏡が用いられている。大腸内視鏡は、便検査やレントゲン検査とは異なり、いわゆる平坦型大腸癌を確実にみつけることができ、検査とともにポリープ切除等の治療も同時に行うことができることから、現代の医学において癌検査に用いる医療器具として主役となりつつある。
【０００３】
かかる大腸内視鏡は、肛門から腸管内へと挿入されるが、この挿入操作を補助することを目的として、例えば特許文献１等に記載された補助具が提案されている。
【０００４】
【特許文献１】特開２００２−６５５９４号公報
【０００５】
具体的には、この特許文献１には、大腸内視鏡が緩挿される挿入筒体の一端に保持部を設けた大腸内視鏡挿入補助具が開示されている。特に、この大腸内視鏡挿入補助具は、挿入筒体のうち大腸内に挿入可能な大腸内挿入部の長さを、直腸内に到達し、Ｓ字状結腸には到達しない長さに設定し、且つ挿入筒体と大腸内視鏡との間に流体流通用の流通路を設けたものである。具体的には、大腸内挿入部の長さは、５０ｍｍ〜１５０ｍｍ程度に設定される。このような大腸内視鏡挿入補助具においては、大腸内視鏡と挿入筒体との間隙によって形成された流通路を介して、大腸内に滞留していた余分な空気等を体外へと排出させることができるとともに、不使用時に内視鏡操作の邪魔になることを防止することができるとしている。
【発明の開示】
【発明が解決しようとする課題】
【０００６】
ところで、特許文献１に記載された従来の大腸内視鏡挿入補助具においては、腸管内に滞留していた余分な空気等を体外へと排出させることができるものの、大腸内視鏡が大腸挿入部を含む長い距離を有する挿入筒体に緩挿されることから、当該大腸内視鏡における当該挿入筒体に緩挿されている部位が当該挿入筒体と干渉して摩擦を生じるとともに、当該部位が直線状に規定されてしまい、自由に屈曲させることができず、操作の悪化を招来するという問題があった。
【０００７】
また、従来の大腸内視鏡挿入補助具においては、大腸内視鏡よりも太い大腸内挿入部を肛門から直腸に挿入することから、患者にとっては疼痛を免れることができず、また、大腸内視鏡と大腸挿入部との間隙による段差があることから、痔疾がある患者にとっては肛門を損傷する危険もあった。
【０００８】
本発明は、このような実情に鑑みてなされたものであり、極めて簡便且つ安価な構成でありながら、患者の苦痛を何らともなうことなく容易に大腸内視鏡を腸管内へと挿入することができるとともに、腸管内に滞留している余分な空気や腸管洗浄液を効率よく体外へと排出させることができる大腸内視鏡検査用補助具を提供することを目的とする。
【０００９】
上述した目的を達成する本発明にかかる大腸内視鏡検査用補助具は、大腸内視鏡を腸管内へと挿入して検査を行う操作を補助する大腸内視鏡検査用補助具であって、内部が空洞とされた可撓性を有する所定の素材からなる１本のチューブ材と、前記チューブ材に挿通され、前記チューブ材における前記複数の孔が穿設された領域よりも下流側に固設された固形部材と、を備え、前記チューブ材には、患者の肛門から腸管内へと挿入される挿入口を形成する一方の端部から所定長にわたる領域に、当該患者の腸管内に滞留している流体を取り込む取込口として機能する複数の孔が前記空洞にかけて穿設され、さらに、前記チューブ材には、前記複数の孔が形成された領域から当該チューブ材における他方の端部に向かって所定長だけ離隔された領域に、前記複数の孔から当該チューブ材内に取り込まれた流体を外部へと排出する排出口として機能する複数の孔が前記空洞にかけて穿設されており、前記チューブ材に対する前記固形部材の挿通位置は、当該固形部材の中心から偏心した位置とされ、前記固形部材は、その全体が前記患者の腸管内へと挿入され、肛門括約筋に引っかかることで、大腸内視鏡の前後方向の移動や回転により、上記チューブ材が腸管内から脱抜するのを防止することを特徴とする。
【００１０】
このような本発明にかかる大腸内視鏡検査用補助具は、可撓性を有する１本のチューブ材を患者の肛門から腸管内へと挿入し、当該チューブ材に穿設された複数の孔を介して、患者の腸管内に滞留している余分な空気や腸管洗浄液を取り込むことができる。
【００１１】
さらに、本発明にかかる大腸内視鏡検査用補助具は、チューブ材内に取り込まれた空気や腸管洗浄液を複数の孔を介して外部へと排出することができる。
【００１２】
さらに、本発明にかかる大腸内視鏡検査用補助具においては、患者の直腸内に挿入された固形部材が肛門括約筋に引っかかることから、直腸内へと挿入されたチューブ材が当該直腸から脱抜するのを確実に防止することができる。
【００１３】
また、前記固形部材には、当該患者の腸管内に滞留している流体を取り込む取込口が穿設され、前記取込口は、取り込まれた前記流体を前記チューブ部材に流下させる様に穿設されている。これにより、本発明に係る大腸内視鏡検査用補助具は、チューブ材に穿設された孔のみならず、固形部材に穿設された孔からも空気や腸管洗浄液を取り込むことができ、当該固形部材に穿設された孔からも空気や腸管洗浄液を取り込むことによって、より効率的に空気や腸管洗浄液を取り込むことができるものである。
【００１４】
なお、前記固形部材は、外表面が所定の曲面状に形成されているのが望ましく、特に、球体又は球体に準ずる形状体であるのが望ましい。さらに、上記固形部材の外表面に所定のコーティングを施すのが望ましい。これにより、本発明にかかる大腸内視鏡検査用補助具においては、直腸への挿入を容易にするとともに、直腸粘膜や大腸内視鏡を損傷する危険を防止することができる。
【００１５】
さらにまた、本発明にかかる大腸内視鏡検査用補助具は、上記チューブ材の内部に挿設されたバネ材を備える。これにより、本発明にかかる大腸内視鏡検査用補助具においては、チューブ材が患者の肛門括約筋と大腸内視鏡とに挟まれて潰れてしまうのを確実に防止することができる。また、本発明にかかる大腸内視鏡検査用補助具においては、バネ材とチューブ材とを併用することにより、自由に屈曲させることが可能となることから、肛門括約筋と大腸内視鏡とによって形成される形状に滑らかに対応することができ、当該大腸内視鏡の操作の妨げとなることはない。
【００１６】
なお、本発明にかかる大腸内視鏡検査用補助具においては、大腸内視鏡との接触による摩擦を軽減するために、前記チューブ材の外表面に所定のコーティングを施すのが望ましい。
【００１７】
また、本発明にかかる大腸内視鏡検査用補助具においては、上記チューブ材における前記一方の端部を斜状に形成することにより、直腸への挿入を容易にすることができる。さらに、本発明にかかる大腸内視鏡検査用補助具においては、前記チューブ材における上記一方の端部を所定の曲率を有する閉塞端とすることによっても、直腸への挿入を容易にすることができる。
【００１８】
また、上述した目的を達成する本発明にかかる大腸内視鏡検査用補助具は、大腸内視鏡を腸管内へと挿入して検査を行う操作を補助する大腸内視鏡検査用補助具であって、内部が空洞とされた可撓性を有する所定の素材からなる１本のチューブ材と、前記チューブ材の、患者の肛門から腸管内へと挿入される一方の端部に形成された固形部材とを備え、前記固形部材には、当該患者の腸管内に滞留している流体を取り込む取込口として機能する孔が穿設され、前記取込口として機能する孔は、前記固形部材の表面から前記チューブ材の一方の端部にかけて連通するように穿設されており、前記固形部材の表面における前記孔の開口面積は、前記チューブ材の一方の端部に連通する側の開口面積よりも大きいことを特徴としている。
【００１９】
このような本発明にかかる大腸内視鏡検査用補助具は、可撓性を有する１本のチューブ材の一方の端部に形成された固形部材を患者の肛門から腸管内へと挿入し、当該固形部材の表面に穿設された孔の一端から、患者の腸管内に滞留している余分な空気や腸管洗浄液を取り込み、当該固形部材の孔他端からチューブ材に流下させることができる。
【００２０】
また、前記固形部材の表面における前記孔の開口面積は、前記チューブ材の一方の端部に連通する側の開口面積よりも大きく形成されているので、患者の腸管内に滞留している余分な空気や腸管洗浄液を容易に取り込むことができ、さらに一旦孔に取り込んだ滞留物の逆流を防止することができる。
【発明の効果】
【００２１】
以上のような本発明にかかる大腸内視鏡検査用補助具は、極めて簡便且つ安価な構成でありながら、患者の苦痛を何らともなうことなく容易に大腸内視鏡を腸管内へと挿入することができる。そして、本発明にかかる大腸内視鏡検査用補助具は、大腸内視鏡の操作時に、患者の大腸や直腸内に滞留している余分な空気や腸管洗浄液を体外へと排出することができる。
【発明を実施するための最良の形態】
【００２２】
以下、本発明を適用した具体的な実施の形態について図面を参照しながら詳細に説明する。
【００２３】
この実施の形態は、大腸内視鏡を腸管内へと挿入して検査を行う操作を補助する大腸内視鏡検査用補助具である。この大腸内視鏡検査用補助具は、極めて簡便且つ安価な構成でありながら、患者の苦痛を何らともなうことなく容易に大腸内視鏡を腸管内へと挿入することができるとともに、腸管内に滞留している余分な空気や腸管洗浄液を効率よく体外へと排出させることができるものである。
【００２４】
まず、第１の実施の形態として示す大腸内視鏡検査用補助具について詳細な説明をする。当該大腸内視鏡検査用補助具は、可撓性を有する１本のチューブ材に複数の孔を穿設することにより、腸管内に滞留した空気や腸管洗浄液を外部へ排出するものである。
【００２５】
図１に示すように、大腸内視鏡検査用補助具１０は、１本のチューブ材１１と、このチューブ材１１の一部領域に固設された固形部材１２と、チューブ材１１の内部に挿設されたバネ材１３とから構成される。
【００２６】
チューブ材１１は、例えばシリコンチューブ等の内部が空洞とされた人体に無害な所定の素材からなり、その内径が例えば２ｍｍ〜３ｍｍ程度とされる。このチューブ材１１は、可撓性を有し、自由に屈曲させることが可能とされる。また、このチューブ材１１には、患者の肛門から腸管内へと挿入される挿入口を形成する一方の端部から例えば５ｃｍ程度の所定長にわたる領域に、複数の孔１４が内部の空洞にかけて穿設されている。この孔１４は、後述するように、患者の腸管内に滞留している余分な空気や腸管洗浄液等の流体を取り込む取込口として機能する。さらに、このチューブ材１１には、これら孔１４が形成された領域から他方の端部に向かって所定長だけ離隔された領域に、例えば５ｃｍ程度の所定長にわたって複数の孔１５が内部の空洞にかけて穿設されている。この孔１５は、後述するように、孔１４からチューブ材１１内に取り込まれた空気や腸管洗浄液等の流体を外部へと排出する排出口として機能する。
【００２７】
固形部材１２は、例えば１５ｍｍ程度の外径を有する人体に無害な所定の素材からなり、図２に示すように、チューブ材１１に挿通されることによって当該チューブ材１１の一部領域に固設される。具体的には、固形部材１２は、チューブ材１１における孔１４が穿設された領域よりも下流側に固設される。この固形部材１２は、患者の肛門から直腸内へと挿入されたチューブ材１１が当該直腸から容易に脱抜しないように設けられる。したがって、固形部材１２は、患者の直腸内へと挿入されて空気や腸管洗浄液の取込口として機能する孔１４が穿設された領域の直近に設けるのが望ましい。また、固形部材１２は、患者の直腸粘膜や大腸内視鏡を損傷するのを防止するために、球体として形成されるのが望ましい。
【００２８】
バネ材１３は、例えば金属製や樹脂製のコイルバネ等からなり、チューブ材１１の内部に嵌合するように挿設される。具体的には、バネ材１３は、チューブ材１１における固形部材１２が固設された領域と孔１５が穿設された領域との間に挿設される。このバネ材１３が挿設されたチューブ材１１における領域は、当該バネ材１３の可撓性と当該チューブ材１１自身の可撓性とによって自由に屈曲させることが可能とされるが、当該バネ材１３の存在によって潰れることが防止される。
【００２９】
このような大腸内視鏡検査用補助具１０は、例えば図３に示すように使用される。
【００３０】
すなわち、患者には、大腸内視鏡２０とともに大腸内視鏡検査用補助具１０が肛門から直腸ＲＣ内に挿入される。このとき、大腸内視鏡検査用補助具１０は、少なくともチューブ材１１における孔１４が穿設された領域及び固形部材１２が固設された領域が患者の直腸ＲＣ内に挿入される。そして、大腸内視鏡検査用補助具１０において、体外に露出したチューブ材１１は、例えば患者の下肢部等に沿って所定の固定用テープ２１によって貼着することにより、当該患者の身体に固定される。なお、大腸内視鏡検査用補助具１０は、通常の大腸内視鏡２０の外径よりも著しく小さい固形部材１２の外径が最太部とされることから、患者に対して疼痛や肛門の損傷等を与えることはない。
【００３１】
このように使用される大腸内視鏡検査用補助具１０は、大腸内視鏡２０の操作時に、患者の大腸や直腸ＲＣ内に滞留している余分な空気や腸管洗浄液を、孔１４を介してチューブ材１１内に取り込み、孔１５から排出する。これにより、大腸内視鏡検査用補助具１０においては、患者の大腸腸管が過度に延伸してしまう事態を防止することができ、大腸内視鏡２０の挿入を容易にすることができる。また、大腸内視鏡検査用補助具１０においては、患者の盲腸まで大腸内視鏡２０を到達させ、逆に腸管を膨張させて大腸内の観察を十分に行いたい場合には、孔１５が穿設された領域よりも上流側を鉗子２２等によってクランプすることにより、空気や腸管洗浄液の排出を停止させることもできる。このように、大腸内視鏡検査用補助具１０は、必要に応じて、患者の腸管内の空気や腸管洗浄液の量を制御することができる。
【００３２】
ここで、大腸内視鏡検査用補助具１０においては、孔１４，１５が、それぞれ、複数設けられていることから、チューブ材１１の内径が小さいにもかかわらず、空気や腸管洗浄液を効率よく取り込み、体外へと排出することができる。
【００３３】
また、チューブ材１１は、上述したように、バネ材１３が挿設されたチューブ材１１における領域も含めて可撓性を有することから、患者の体型に合わせて自由に屈曲させることができる。したがって、大腸内視鏡検査用補助具１０においては、チューブ材１１の存在が大腸内視鏡２０の操作の妨げとならず、また、肛門への刺激も少なくて済み、直腸粘膜を傷つけることなく空気や腸管洗浄液を体外へと排出することができる。
【００３４】
さらに、大腸内視鏡検査用補助具１０においては、患者の直腸ＲＣ内に挿入された固形部材１２が肛門括約筋ＳＰに引っかかることから、直腸ＲＣ内で大腸内視鏡２０を前後方向に移動させたり回転させたりした場合であっても、当該直腸ＲＣ内へと挿入されたチューブ材１１が当該直腸ＲＣから脱抜するのを確実に防止することができる。また、固形部材１２は、球体として形成することにより、上述したように、直腸ＲＣの内壁や大腸内視鏡２０と接触して直腸粘膜や当該大腸内視鏡２０を損傷する危険を防止することができる。
【００３５】
さらにまた、大腸内視鏡検査用補助具１０においては、チューブ材１１にバネ材１３を挿設していることから、当該チューブ材１１が患者の肛門括約筋ＳＰと大腸内視鏡２０とに挟まれて潰れてしまうのを確実に防止することができる。また、大腸内視鏡検査用補助具１０においては、上述したように、バネ材１３とチューブ材１１とを併用することにより、単純な金属管等によっては実現することができない自由な屈曲を実現することができることから、肛門括約筋ＳＰと大腸内視鏡２０とによって形成される形状に滑らかに対応することができ、当該大腸内視鏡２０の操作の妨げとなることはない。
【００３６】
また、大腸内視鏡検査用補助具１０は、極めて簡便に構成することができ、且つ安価に構成することができることから、使い捨てに適している。したがって、大腸内視鏡検査用補助具１０は、使用後は洗浄の必要がないばかりか、感染症等を引き起こすおそれがなく、衛生面の観点からも極めて優れた効果を奏するものである。
【００３７】
このように、大腸内視鏡検査用補助具１０は、患者の負担を著しく低減した検査に寄与することができ、通常の検査を行う場合や、それよりも時間を要するポリープ切除等の治療の場合は勿論のこと、一度大腸内視鏡２０を患者の腸管内へと挿入した後に再度挿入することが必要となった場合や、他の検者が大腸内視鏡２０を挿入することができず一度脱抜した場合に再度挿入する場合等にも極めて有効である。
【００３８】
なお、大腸内視鏡検査用補助具１０は、図４に示すように、固形部材１２に、例えば複数個の孔１６を穿設するものであっても良い。孔１６は、固形部材１２の表面からチューブ材１１にかけて穿設されたものである。すなわち、孔１４から空気や腸管洗浄液を取り込むと共に、固形部材１２に穿設された孔１６から空気や腸管洗浄液を取り込むことによって、より効率的に空気や腸管洗浄液を取り込むことができるものである。
【００３９】
以下、第２の実施の形態について詳細な説明をする。
【００４０】
第２の実施の形態は、大腸内視鏡を腸管内へと挿入して検査を行う操作を補助する大腸内視鏡検査用補助具である点については、先述した第１の実施の形態と同様であるが、先述した大腸内視鏡検査用補助具とは構成が異なる為、その点について詳細な説明をする。尚、使用方法等は先述した大腸内視鏡検査用補助具と同一である為、詳細な説明を省略する。
【００４１】
具体的には、第１の実施の形態における大腸内視鏡検査用具１０は、チューブ材１１における孔１４が穿設された領域よりも下流側に固形部材１２を固設することとしたが、第２の実施の形態においては、チューブ材の端部に、表面に孔が穿設された固形部材を固設し、当該固形部材に穿設された孔と、チューブ材内部の空洞と連通する点において差異を有するものである。
【００４２】
図５に示すように、大腸内視鏡検査用補助具３０は、１本のチューブ材３１と、このチューブ材３１の先端に固設された固形部材３２と、チューブ材３１の内部に挿設されたバネ部材１３とから構成される。
【００４３】
チューブ材３１は、例えばシリコンチューブ等の内部が空洞とされた人体に無害な所定の素材からなり、その内径が例えば２ｍｍ〜３ｍｍ程度とされる。このチューブ材３１は、可撓性を有し、自由に屈曲させることが可能とされる。また、このチューブ材３１には、患者の肛門から腸管内へと挿入される一方の端部に、固形部材３２が固設されている。さらに、このチューブ材３１には、固形部材３２が形成された領域から他方の端部に向かって所定長だけ離隔された領域に、例えば５ｃｍ程度の所定長にわたって複数の孔３５が内部の空洞にかけて穿設されている。この孔３５は、後述するように、固形部材３２に穿設された孔からチューブ材３１内に取り込まれた空気や腸管洗浄液等の流体を外部へと排出する排出口として機能する。
【００４４】
固形部材３２は、例えば１５ｍｍ程度の外径を有する人体に無害な所定の素材からなり、図６に示すように、チューブ材３１に固設される。この固形部材３２は、患者の肛門から直腸内へと挿入されたチューブ材３１が当該直腸から容易に脱抜しないように設けられる。固形部材３２には、例えば固形部材３２の内部まで穿設された、チューブ材３１と略同一の径を有する孔が形成されており、当該孔にチューブ材３１を挿通することでチューブ材３１と固形部材３２を固設する。さらに、固形部材３２の表面には、患者の腸管内に滞留している流体を取り込む取込口として機能する孔３６が穿設されている。本実施の形態においては、固形部材３２は、孔３６を複数個有するものとして詳細な説明をするが、固形部材３２は、孔３６を１つ備えるものであっても良い。孔３６は、固形部材３２の表面からチューブ材３１の一方の端部にかけて連通するように穿設されている。具体的には、孔３６の一端を固形部材３２の表面に形成し、当該孔３６の他端をチューブ材３１と接続される様に形成する。また、固形部材３２は、患者の直腸粘膜や大腸内視鏡を損傷するのを防止するために、球体として形成されるのが望ましい。
【００４５】
すなわち、孔３６の一端から流入した腸管内に滞留している余分な空気や腸管洗浄液は、孔３６の内部を通じて孔３６の他端からチューブ材３１に流出することができる。
【００４６】
この様な大腸内視鏡検査用補助具３０は、第１の実施の形態において説明した効果と同様の効果を得られると共に、第１の実施の形態の大腸内視鏡検査用補助具１０よりもチューブ材を短くしたことから、患者の直腸粘膜を損傷する可能性を低減することができる。
【００４７】
尚、図７に示す様に、固形部材３２の表面に形成された一端の開口面積は、孔３６の他端の開口面積よりも大きいものであっても良い。すなわち、孔３６の固形部材３２の表面に形成された一端の開口面積を孔３６の他端の開口面積より大きくすることで孔３６は、いわゆるノズル形状を形成し、これにより患者の腸管内に滞留している余分な空気や腸管洗浄液を容易に取り込むことができ、さらに一旦孔に取り込んだ滞留物の逆流を防止することができる。
【００４８】
なお、本発明は、上述した実施の形態に限定されるものではない。例えば、上述した実施の形態では、チューブ材１１、３１として、内部に空洞を有する通常のチューブにしか言及していないが、本発明は、大腸内視鏡との接触による摩擦を軽減するために、当該チューブ材１１、３１の外表面に所定のコーティングを施すようにしてもよい。
【００４９】
また、本発明は、患者の肛門から腸管内へと挿入されるチューブ材１１における挿入口を形成する一方の端部の形状を、例えば、図８に示すように斜状に形成したり、図９に示すように、所定の曲率を有する閉塞端としたりすることにより、直腸ＲＣへの挿入を容易にすることができる。
【００５０】
さらに、本発明は、固形部材１２、３２の形状として球体以外の形状を適用することもできる。ただし、固形部材１２、３２としては、上述したように、患者の直腸粘膜や大腸内視鏡２０の損傷を防止する観点から、外表面が所定の曲面状に形成されているものが望ましく、特に、例えば図１０(ａ)に示す球体の他、球体に準ずる形状体であるのが望ましい。なお、球体に準ずる形状体としては、例えば、図１０(ｂ)に示すような楕円体や、図１０(ｃ)に示すように、大腸内視鏡２０と接する面が当該大腸内視鏡２０の曲率に沿って鞍状に形成された鞍状体等が挙げられる。特に、固形部材１２、３２は、鞍状体とすることにより、大腸内視鏡２０との接触面積を大きくすることができ、患者の直腸ＲＣ内で不要に動いてしまう事態を防止することができる。また、本発明は、この固形部材１２、３２についても、その外表面に所定のコーティングを施すことにより、直腸ＲＣへの挿入を容易にするとともに、直腸粘膜や大腸内視鏡の損傷の確実な防止を図るようにしてもよい。
【００５１】
ここで、固形部材１２、３２は、上述したように、チューブ材１１、３１に挿通されることによって当該チューブ材１１、３１に固設されるが、このチューブ材１１、３１に対する挿通位置を、図１０(ｂ)又は図１０(ｃ)に示すように、当該固形部材１２、３２の中心から偏心した位置とするのが望ましい。すなわち、大腸内視鏡検査用補助具１０、３０は、図１０(ａ)に示したように、チューブ材１１、３１に対する固形部材１２、３２の挿通位置が当該固形部材１２、３２の中心に位置する場合には、図１１(ａ)に示すように、患者の直腸ＲＣ内へと挿入された際に、大腸内視鏡２０に対して所定の角度αをもって配置されることになる。これに対して、大腸内視鏡検査用補助具１０、３０においては、図１０(ｂ)又は図１０(ｃ)に示したように、チューブ材１１、３１に対する固形部材１２、３２の挿通位置が当該固形部材１２、３２の中心から偏心した位置とされる場合には、当該挿通位置を大腸内視鏡２０に近付けて患者の直腸ＲＣ内へと挿入することにより、それぞれ、図１１(ｂ)又は図１１(ｃ)に示すように、大腸内視鏡２０との角度β，γが、図１１(ａ)に示す場合に比べ鋭角となる。これにより、大腸内視鏡検査用補助具１０、３０においては、直腸ＲＣへの挿入をさらに容易にすることができる。
【００５２】
このように、本発明は、その趣旨を逸脱しない範囲で適宜変更が可能であることはいうまでもない。
【図面の簡単な説明】
【００５３】
【図１】本発明の第１の実施の形態として示す大腸内視鏡検査用補助具の構成を説明する正面図である。
【図２】大腸内視鏡検査用補助具の構成を説明する斜視図である。
【図３】大腸内視鏡検査用補助具の使用例について説明する図である。
【図４】大腸内視鏡検査用補助具の変形例の構成を説明する正面図である。
【図５】本発明の第２の実施の形態として示す大腸内視鏡検査用補助具の構成を示す正面図である。
【図６】大腸内視鏡検査用補助具の使用例について説明する図であって、固形部材の断面を示す図である。
【図７】大腸内視鏡検査用補助具の変形例の構成を説明する断面図である。
【図８】チューブ材における挿入口を形成する一方の端部の構成を説明する要部正面図であって、端部が斜状に形成された様子を説明する図である。
【図９】チューブ材における挿入口を形成する一方の端部の構成を説明する要部正面図であって、端部が所定の曲率を有する閉塞端とされた様子を説明する図である。
【図１０（ａ）】大腸内視鏡検査用補助具の構成を説明する側面図であって、球体に形成された固形部材について説明する図である。
【図１０（ｂ）】大腸内視鏡検査用補助具の構成を説明する側面図であって、楕円体に形成された固形部材について説明する図である。
【図１０（ｃ）】大腸内視鏡検査用補助具の構成を説明する側面図であって、鞍状体に形成された固形部材について説明する図である。
【図１１（ａ）】大腸内視鏡検査用補助具の使用例について説明する図であって、図１０(ａ)に示した固形部材を備える大腸内視鏡検査用補助具と大腸内視鏡との角度について説明する図である。
【図１１（ｂ）】大腸内視鏡検査用補助具の使用例について説明する図であって、図１０(ｂ)に示した固形部材を備える大腸内視鏡検査用補助具と大腸内視鏡との角度について説明する図である。
【図１１（ｃ）】大腸内視鏡検査用補助具の使用例について説明する図であって、図１０(ｃ)に示した固形部材を備える大腸内視鏡検査用補助具と大腸内視鏡との角度について説明する図である。
【符号の説明】
【００５４】
１０  大腸内視鏡検査用補助具
１１  チューブ材
１２  固形部材
１３  バネ材
１４  孔
１５  孔
３０  大腸内視鏡検査用補助具
３１  チューブ材
３２  固形部材
３５  孔
３６  孔
【図１】
0004544629.tif 000002
【図２】
0004544629.tif 000003
【図３】
0004544629.tif 000004
【図４】
0004544629.tif 000005
【図５】
0004544629.tif 000006
【図６】
0004544629.tif 000007
【図７】
0004544629.tif 000008
【図８】
0004544629.tif 000009
【図９】
0004544629.tif 000010
【図１０（ａ）】
0004544629.tif 000011
【図１０（ｂ）】
0004544629.tif 000012
【図１０（ｃ）】
0004544629.tif 000013
【図１１（ａ）】
0004544629.tif 000014
【図１１（ｂ）】
0004544629.tif 000015
【図１１（ｃ）】
0004544629.tif 000016